(57)【要約】      （修正有）【課題】新規にクリーンハウスを設置することなく巻線の更新を可能とする静止誘導電器の更新方法を提供する。【解決手段】上面に開口部４を有する下部タンク１と前記開口部４を封じる上部タンクとに分割可能なタンク内に収納された鉄心２と、前記鉄心の主脚に巻回された既設巻線３とを有する静止誘導電器の更新方法において、前記上部タンクを取り外す上部タンク取り外し工程と、前記上部タンクを取り外すことにより開口された前記開口部４を覆う屋根７を取り付ける屋根設置工程と、前記屋根７の内側で前記既設巻線３を更新巻線８と交換する巻線交換工程とを有する。【選択図】図１
2015023067.tif 000002
【特許請求の範囲】
【請求項１】
上面に開口部を有する下部タンクと前記開口部を封じる上部タンクとに分割可能なタンク内に収納された鉄心と、前記鉄心の主脚に巻回された既設巻線とを有する静止誘導電器の更新方法において、
前記上部タンクを取り外す上部タンク取り外し工程と、
前記上部タンクを取り外すことにより開口された前記開口部を覆う屋根を取り付ける屋根設置工程と、
前記屋根の内側で前記既設巻線を更新巻線と交換する巻線交換工程と
を有する静止誘導電器の更新方法。
【請求項２】
前記屋根設置工程では、前記巻線交換工程を行う作業者が使用する足場を設置し、前記開口部および前記足場を覆う屋根を取り付ける請求項１に記載の静止誘導電器の更新方法。
【請求項３】
前記下部タンクは、前記上部タンクと締結される第１フランジを有し、
前記屋根設置工程では、前記第１フランジに沿って前記足場を設置する請求項２に記載の静止誘導電器の更新方法。
【請求項４】
前記静止誘導電器は、前記タンクを包囲し、上端部に第２フランジを備える防音タンク側板を有し、
前記屋根設置工程では、前記第１フランジから前記第２フランジにわたり、前記第１フランジおよび前記第２フランジに沿って前記足場を設置する請求項２に記載の静止誘導電器の更新方法。
【請求項５】
前記鉄心あるいは前記既設巻線を前記下部タンクの底面から持ち上げる中身構造物持ち上げ工程と、
前記中身構造物持ち上げ工程後に、前記下部タンクの底面に架台を設置する架台設置工程と、
前記中身構造物持ち上げ工程にて持ち上げられた前記鉄心あるいは前記既設巻線を前記架台上に設置する中身構造物設置工程と
をさらに有し、
前記中身構造物設置工程後に前記巻線交換工程を行う請求項１乃至請求項４のいずれか１項に記載の静止誘導電器の更新方法。
【請求項６】
前記中身構造物持ち上げ工程は、中身構造物持ち上げ手段により行われ、
前記中身構造物持ち上げ手段は、
前記下部タンクの設置面に前記下部タンクを跨いで設置される構台と、
前記構台の外側面に設けられたジャッキ受けと、
上下方向に伸縮自在であり、下端部が前記下部タンクの設置面に設置されるとともに、上端部が前記ジャッキ受けと接するジャッキと、
前記下部タンクの前記開口部と対向して前記構台に取り付けられ、前記鉄心あるいは前記巻線を支持するワイヤーと
を有する請求項５に記載の静止誘導電器の更新方法。
【請求項７】
前記静止誘導電器は、前記下部タンクの外周面に取り付けられた支えをさらに有し、
前記中身構造物持ち上げ工程は、中身構造物持ち上げ手段により行われ、
前記中身構造物持ち上げ手段は、
前記支え上に前記下部タンクを跨いで設置される構台と、
前記構台の外側面に設けられたジャッキ受けと、
上下方向に伸縮自在であり、下端部が前記支え上に設置されるとともに、上端部が前記ジャッキ受けと接するジャッキと、
前記下部タンクの前記開口部と対向して前記構台に取り付けられ、前記鉄心あるいは前記巻線を支持するワイヤーと
を有する請求項５に記載の静止誘導電器の更新方法。
【発明の詳細な説明】
【技術分野】
【０００１】
本発明の実施形態は、静止誘導電器の更新方法に関する。
【背景技術】
【０００２】
一般的に、変圧器などの静止誘導電器では、経年とともに構成部品が劣化するため、定期的に構成部品の交換を行う必要がある。
【０００３】
機器内部に収納される構成部品うち、鉄心は劣化要素が少ないと考えられるが、鉄心に巻回される巻線は絶縁紙が熱によって劣化しやすい。巻線の絶縁紙が劣化すると、絶縁紙の絶縁耐力が低下し、外部事故等によって過大な電流が巻線に流入した時に絶縁破壊が起きる可能性もある。
【０００４】
そこで、このような事態を防止するための１つの手段として、既設巻線を新たに製作した更新巻線と交換する方法がある。
【先行技術文献】
【特許文献】
【０００５】
【特許文献１】特開２００３−２２４０１６号公報
【発明の概要】
【発明が解決しようとする課題】
【０００６】
静止誘導電器が設置された現地にて既設巻線を更新巻線と交換する場合、クリーンハウスを仮設して、その中で巻線交換の作業を行う必要がある。
【０００７】
しかし、敷地面積の観点から静止誘導電器の近くにクリーンハウスを設置できない場合、静止誘導電器から離れた場所にクリーンハウスを設置し、巻線や鉄心といった静止誘導電器の中身構造物を吊り上げてクリーンハウスまで移動させる必要がある。そのため、作業者の手間や負担が大きくなってしまう。
【０００８】
また、巻線のみを交換する場合、機器全体を更新する場合に比べてコストを削減することができるが、新規にクリーンハウスを設置することで、そのコスト面の優位性が低くなってしまう。
【０００９】
そこで、本発明の実施形態はこれらの課題を解決するために、新規にクリーンハウスを設置することなく巻線の更新を可能とする静止誘導電器の更新方法を提供するものである。
【課題を解決するための手段】
【００１０】
上記課題を達成するために、実施形態の静止誘導電器の更新方法は、上面に開口部を有する下部タンクと前記開口部を封じる上部タンクとに分割可能なタンク内に収納された鉄心と、前記鉄心の主脚に巻回された既設巻線とを有する静止誘導電器の更新方法において、前記上部タンクを取り外す上部タンク取り外し工程と、前記上部タンクを取り外すことにより開口された前記開口部を覆う屋根を取り付ける屋根設置工程と、前記屋根の内側で前記既設巻線を更新巻線と交換する巻線交換工程とを有する。
【図面の簡単な説明】
【００１１】
【図１】第１の実施形態に係る静止誘導電器の更新作業を示す断面図。
【図２】第１の実施形態に係る静止誘導電器の鉄心の構成を示す断面図。
【図３】第２の実施形態に係る静止誘導電器の更新作業を示す断面図。
【図４】第３の実施形態に係る静止誘導電器の更新作業を示す断面図。
【図５】第３の実施形態の変形例１に係る静止誘導電器の更新作業を示す断面図。
【図６】第３の実施形態の変形例２に係る静止誘導電器の更新作業を示す断面図。
【発明を実施するための形態】
【００１２】
以下、実施形態について図面を用いて説明する。
【００１３】
（第１の実施形態）
図１は第１の実施形態に係る静止誘導電器の更新作業を示す断面図である。
【００１４】
本実施形態の静止誘導電器は、タンク１、鉄心２、既設巻線３を有する。
【００１５】
タンク１は、タンク下側の下部タンクであり、上面に開口部４を有する。また、下部タンク１は、図示しない上部タンクと締結される第１フランジ５を有し、タンク全体としては、下部タンク１と、開口部４を封じる上部タンクとに分割可能である。
【００１６】
鉄心２は、下部タンク１内に収納され、鉄心２の主脚に既設巻線３が巻回される。また、鉄心２は分解可能であり、図２に示すように上部ヨーク２ａを取り外すことができる。
【００１７】
このように構成された本実施形態の静止誘導電器において、経年劣化等により既設巻線３を更新する方法について図１を用いて説明する。
【００１８】
まず、図示しない上部タンクを取り外す（上部タンク取り外し工程）。
【００１９】
その後、第１フランジ５に沿って足場６を設置し、上部タンクを取り外すことにより開口された開口部４と足場６とを覆う屋根７を取り付ける（屋根設置工程）。例えば屋根７は、第１フランジ５や下部タンク１の外側面に取り付けられる。
【００２０】
また、屋根７は、例えばビニール製であり、上部に開閉可能な搬入口７ａを有する。
【００２１】
そして、屋根７の内側で既設巻線３を新たに製作された更新巻線８と交換する（巻線交換工程）。具体的には、既設の鉄心２が下部タンク１内にある状態で、既設の鉄心２の上部ヨーク２ａを分解し、既設巻線３を更新巻線８と交換する。
【００２２】
既設巻線３および更新巻線８の屋根７内外への出し入れは、クレーン等により搬入口７ａから行われる。
【００２３】
以上説明した第１の実施形態に係る静止誘導電器の更新方法によれば、下部タンク１の開口部４を覆うように屋根７を取り付けることで下部タンク１内をクリーンハウスとして利用することができる。そのため、新規にクリーンハウスを設置する必要がなく、クリーンハウス設置に要する工期の削減やコストの低減に貢献することができる。
【００２４】
また、静止誘導電器の更新作業に必要な作業スペースを縮小することができ、敷地面積の観点から従来はクリーンハウスが建てられなかった場所でも更新作業が可能となる。
【００２５】
さらに、足場６を設けることで、巻線交換工程において作業者は下部タンク１上部での作業も容易に行うことができる。
【００２６】
なお、足場６は下部タンク１の外部に設置されてもよく、屋根７を取り付けた後に、屋根７の内側に足場６を設置してもよい。
【００２７】
また、足場６は第１フランジ５上だけでなく、鉄心２や巻線３，８といった中身構造物方向に延長させて設置されてもよい。そのように構成することで作業スペースを拡張することができ、作業性が向上する。
【００２８】
（第２の実施形態）
第２の実施形態について、図３を用いて説明する。なお、第１の実施形態の各部と同一部分は同一符号で示し、説明は省略する。以下、第１の実施形態と異なる部分について説明する。
【００２９】
図３は第２の実施形態に係る静止誘導電器の更新作業を示す断面図である。
【００３０】
この第２の実施形態が第１の実施形態と異なる点は、防音タンク側板２０、足場２１にある。
【００３１】
本実施形態の静止誘導電器は、タンク１、鉄心２、既設巻線３に加えて、防音タンク側板２０をさらに有する。
【００３２】
防音タンク側板２０は、下部タンク１を包囲し、上端部に第２フランジ２２を備える。防音タンク側板２０は、第２フランジ２２で図示しない上部カバーと締結される。
【００３３】
このように構成された本実施形態の静止誘導電器において、経年劣化等により既設巻線３を更新する方法について図２を用いて説明する。
【００３４】
図示しない上部タンクを取り外した後、第１フランジ５から第２フランジ２２にわたり、第１フランジ５および第２フランジ２２に沿って足場２１を設置する。そして、上部タンクを取り外すことにより開口された開口部４と足場２１とを覆う屋根７を取り付ける（屋根設置工程）。例えば屋根７は、防音タンク側板２０や第２フランジ２２に取り付けられる。
【００３５】
以上説明した第２の実施形態に係る静止誘導電器の更新方法によれば、第１フランジ５から第２フランジ２２にわたり足場２１を設置するため、第１の実施形態で得られる効果に加えて、下部タンク１上部での作業スペースをより広く確保することができる。
【００３６】
（第３の実施形態）
第３の実施形態について、図４を用いて説明する。なお、第１の実施形態および第２の実施形態の各部と同一部分は同一符号で示し、説明は省略する。以下、第１の実施形態と異なる部分について説明する。
【００３７】
図４は第３の実施形態に係る静止誘導電器の更新作業を示す断面図である。
【００３８】
この第３の実施形態が第１の実施形態と異なる点は、架台３０にある。
【００３９】
本実施形態の静止誘導電器において、経年劣化等により既設巻線３を更新する方法について図４を用いて説明する。
【００４０】
鉄心２あるいは既設巻線３といった中身構造物を下部タンク１の底面からクレーン等により持ち上げ（中身構造物持ち上げ工程）、その後、下部タンク１の底面に架台３０を設置する（架台設置工程）。
【００４１】
そして、クレーン等によって持ち上げられた中身構造物を架台３０上に設置し（中身構造物設置工程）、既設巻線３を更新巻線８と交換する。
【００４２】
鉄心２や巻線３，８といった中身構造物と、下部タンク１内側面との間は狭く、十分な作業スペースを得ることが難しいが、第３の実施形態に係る静止誘導電器の更新方法によれば、下部タンク１の底面に架台３０を設け、中身構造物を架台３０上に設置した状態で巻線の交換作業を行う。
【００４３】
そのため、第１の実施形態で得られる効果に加えて、巻線３，８のリード線の這いまわしや取り外しといった中身構造物の下部における作業も容易に行うことが可能となる。
【００４４】
なお、図４では第１の実施形態に対して架台３０を設置する例を示したが、第２の実施形態に対して架台３０を設置してもよく、同様の効果を得ることができる。
【００４５】
（第３の実施形態の変形例１）
第３の実施形態の変形例１について図５を用いて説明する。図５は第３の実施形態の変形例１に係る静止誘導電器の更新作業を示す断面図である。
【００４６】
鉄心２あるいは既設巻線３といった中身構造物を下部タンク１の底面から持ち上げる工程は、図５に示す中身構造物持ち上げ手段４０により行われてもよい。
【００４７】
中身構造物持ち上げ手段４０は、構台４１、ジャッキ受け４２、ジャッキ４３、ワイヤー４４を有する。
【００４８】
構台４１は下部タンク１の設置面に下部タンク１を跨いで設置され、構台４１の外側面にジャッキ受け４２が設けられる。
【００４９】
ジャッキ４３は上下方向に伸縮自在であり、下端部が下部タンク１の設置面に設置されるとともに、上端部がジャッキ受け４２と接する。
【００５０】
構台４１にはワイヤー４４が取り付けられ、具体的には、下部タンク１の開口部４と対向するように取り付けられる。
【００５１】
鉄心２あるいは既設巻線３といった中身構造物はワイヤー４４により支持される。
【００５２】
次に、このように構成された中身構造物持ち上げ手段４０の動作について説明する。
【００５３】
ジャッキ４３が上方向に伸びることにより、ジャッキ受け４２を介して構台４１が持ち上げられる。そのことにより、構台４１に取り付けられたワイヤー４４を介して中身構造物も持ち上げられる。
【００５４】
以上説明した中身構造物持ち上げ手段４０を用いることにより、大型クレーン等を使用する必要がなく、静止誘導電器近傍に大型クレーンを設置できない場合でも巻線の交換作業が可能となる。
【００５５】
なお、構台４１を骨組みとして屋根７を設置してもよい。
【００５６】
（第３の実施形態の変形例２）
第３の実施形態の変形例２について図６を用いて説明する。なお、変形例１の各部と同一部分は同一符号で示し、説明は省略する。以下、変形例１と異なる部分について説明する。
【００５７】
図６は第３の実施形態の変形例２に係る静止誘導電器の更新作業を示す断面図である。この変形例１が変形例２と異なる点は、支え５０、中身構造物持ち上げ手段５１にある。
【００５８】
支え５０は、下部タンク１の外周面に取り付けられる。
【００５９】
中身構造物持ち上げ手段５１は、構台４１、ジャッキ受け４２、ジャッキ４３、ワイヤー４４を有する。
【００６０】
構台４１は支え５０上に下部タンク１を跨いで設置され、構台４１の外側面にジャッキ受け４２が設けられる。
【００６１】
ジャッキ４３は上下方向に伸縮自在であり、下端部が支え５０上に設置されるとともに、上端部がジャッキ受け４２と接する。
【００６２】
構台４１にはワイヤー４４が取り付けられ、具体的には、下部タンク１の開口部４と対向するように取り付けられる。
【００６３】
鉄心２あるいは既設巻線３といった中身構造物はワイヤー４４により支持される。
【００６４】
以上説明した中身構造物持ち上げ手段５１を用いることにより、変形例１で得られる効果に加えて、鉄心２あるいは既設巻線３といった中身構造物の吊り上げ荷重を下部タンク１の基礎に加えることができ、下部タンク１周囲の基礎養生が不要である。
【００６５】
本発明のいくつかの実施形態について説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【００６６】
１…下部タンク
２…鉄心
３…既設巻線
４…開口部
５…第１フランジ
６，２１…足場
７…屋根
７ａ…搬入口
８…更新巻線
２０…防音タンク側板
２２…第２フランジ
３０…架台
４０，５１…中身構造物持ち上げ手段
４１…構台
４２…ジャッキ受け
４３…ジャッキ
４４…ワイヤー
５０…支え
【図１】
2015023067.tif 000003
【図２】
2015023067.tif 000004
【図３】
2015023067.tif 000005
【図４】
2015023067.tif 000006
【図５】
2015023067.tif 000007
【図６】
2015023067.tif 000008